(57)【要約】【課題】小型化が容易で、コリメートレンズの均熱化が可能な光ピックアップ装置、光ピックアップ装置用光学台を提供する。【解決手段】光学台８は、発光素子１１を収容する発光素子収容部８Ａとコリメータレンズ１５を収容するコリメータレンズ収容部８Ｃと折り曲げミラー１４を収容する折り曲げミラー収容部８Ｂと、集光部品を収容する集光部品収容部８Ｄと発光素子収容部８Ａとコリメータレンズ収容部８Ｃとの間に配置され、発光素子収容部８Ａからコリメータレンズ収容部８Ｃへの伝熱経路を折り曲げる抑制部８Ｅとを備える。これにより、発光素子収容部８Ａからコリメータレンズ収容部８Ｃに伝導される熱量を減少でき、コリメータレンズ１５の発光素子側側面１５ｄが高温になり、コリメータレンズ１５の偏熱によるコリメータレンズ１５の光学的特性の悪化を抑制することができ、かつ、光ピックアップ装置４、光ピックアップ装置用光学台８を小型化できる。【選択図】図３
2008165929.tif 000002
【特許請求の範囲】
【請求項１】
レーザ光を出射する発光素子と、前記レーザ光を平行光に変換するコリメータレンズと、前記発光素子から出射された前記レーザ光を前記コリメータレンズに導く折り曲げミラーと、前記コリメータレンズからの前記平行光を光学式情報記録媒体の記録面上に集光する集光部品と、を有する光ピックアップ装置に用いられる光学台であって、
前記発光素子を収容する発光素子収容部と、
前記コリメータレンズを収容するコリメータレンズ収容部と、
前記折り曲げミラーを収容する折り曲げミラー収容部と、
前記集光部品を収容する集合部品収容部と、
前記発光素子収容部と前記コリメータレンズ収容部との間に配置され、前記発光素子収容部から前記コリメータレンズ収容部への伝熱経路を折り曲げる抑制部と、
を備える光ピックアップ装置用光学台。
【請求項２】
前記光学式情報記録媒体と対向する第１主面と、
前記第１主面の反対側に形成された第２主面と、
をさらに備え、
前記抑制部は、前記第１主面側に開口する第１凹部と、前記第２主面側に開口する第２凹部と、前記第１凹部および前記第２凹部により形成され前記伝熱経路に含まれる屈折部と、を有する、
請求項１に記載の光ピックアップ装置用光学台。
【請求項３】
前記第１凹部および第２凹部は、前記発光素子収容部と前記コリメータレンズ収容部との間の領域を分けるように延びている、
請求項２に記載の光ピックアップ装置用光学台。
【請求項４】
前記第１凹部と前記第２凹部とは、互いに略平行に配置されている、
請求項２または３に記載の光ピックアップ装置用光学台。
【請求項５】
前記第１凹部は、前記第２凹部の前記発光素子収容部側または前記コリメータレンズ収容部側に配置されている、
請求項２から４のいずれかに記載の光ピックアップ装置用光学台。
【請求項６】
前記第１凹部の開口部と前記第２凹部の開口部とは、それぞれ長方形の形状である、
請求項２から５のいずれかに記載の光ピックアップ装置用光学台。
【請求項７】
前記第２凹部は、前記第１凹部の開口部よりも面積の大きい開口部を有している、
請求項２から６のいずれかに記載の光ピックアップ装置用光学台。
【請求項８】
前記第１凹部の開口部と前記第２凹部の開口部とは、細長い形状であり、前記第１凹部の開口部の幅と前記第２凹部の開口部の幅とは、同一の長さである、
請求項２から７のいずれかに記載の光ピックアップ装置用光学台。
【請求項９】
前記第１凹部の長手方向の長さは、前記第２凹部の長手方向の長さよりも長い、
請求項２から８のいずれかに記載の光ピックアップ装置用光学台。
【請求項１０】
前記第１凹部の開口部の長手方向の長さが前記コリメータレンズの光軸方向の幅より長い、
請求項２から９のいずれかに記載の光ピックアップ装置用光学台。
【請求項１１】
前記抑制部は、前記第１凹部を前記第２主面側の空間と貫通させる少なくとも１つの第１貫通孔を有している、
請求項２から１０のいずれかに記載の光ピックアップ装置用光学台。
【請求項１２】
前記抑制部は、前記第２凹部を前記第１主面側の空間と貫通させる少なくとも１つの第２貫通孔を有している、
請求項２から１１のいずれかに記載の光ピックアップ装置用光学台。
【請求項１３】
前記第１凹部の少なくとも一部には、前記光ピックアップ装置用光学台を形成する素材よりも高い熱伝導性を有する第１放熱部材が固定されている、
請求項２から１２のいずれかに記載の光ピックアップ装置用光学台。
【請求項１４】
前記第２凹部の少なくとも一部には、前記光ピックアップ装置用光学台を形成する素材よりも高い熱伝導性を有する第２放熱部材が固定されている、
請求項２から１３のいずれかに記載の光ピックアップ装置用光学台。
【請求項１５】
請求項１から１４のいずれかに記載の光ピックアップ装置用光学台と、
前記発光素子収容部に収容され、レーザ光を出射する発光素子と、
前記コリメータレンズ収容部に収容され、前記発光素子から出射されたレーザ光を平行光に変換するコリメータレンズと、
前記折り曲げミラー収容部に収容され、前記発光素子から出射されたレーザ光を前記コリメータレンズに導く折り曲げミラーと、
前記集光部品収容部に収容され、レーザ光を光学式情報記録媒体に集光する集光部品と、
を備える光ピックアップ装置。
【請求項１６】
請求項１５に記載の光ピックアップ装置を備える光学式情報記録再生装置。
【発明の詳細な説明】
【技術分野】
【０００１】
本発明は、光ピックアップ装置および光ピックアップ装置用光学台、特に、光学式情報記録媒体に情報信号を記録もしくは再生するための光ピックアップ装置および光ピックアップ装置用光学台に関するものである。
【背景技術】
【０００２】
光学式情報記録媒体である光ディスク等にオーディオ信号、文字信号および映像信号等の情報を記録または再生する装置として、光学式情報記録再生装置が知られている。光学式情報記録再生装置には、光ピックアップ装置が搭載されている。
この光ピックアップ装置には、発光素子として半導体レーザ素子が設けられている。光ピックアップ装置では、半導体レーザ素子から出射されるレーザ光が、光ディスク等の情報記録面に照射されることで記録マークが記入され、情報の記録が行われる。また、光ピックアップ装置から情報記録面に照射されたレーザ光の反射光を受光素子としての光検出器で受光することで、情報の再生が行われる。
近年、光学式情報記録再生装置は、薄型ノートパソコン等に用いられる。このため、光ピックアップ装置も含めて光学式情報記録再生装置の小型化および高密度化が進んでいる。したがって、光ピックアップ装置は、半導体レーザ素子の発熱の影響を強く受け、高温条件下で動作している。
【０００３】
また、近年では情報を記録または再生する速度の向上が要求されている。記録再生の高速化のためには、出力の高い半導体レーザ素子を用いる必要がある。このため、半導体レーザの発振時に発生する熱量は大きくなる。例えば、現在の光ピックアップ装置に使用されているＤＶＤ−ＲＡＭ用半導体レーザ素子では、２倍速記録における発振時の温度は環境温度に対して１０〜１５℃程度上昇する。
また、半導体レーザ素子は、動作温度が高温になるとレーザ光の発光パワーが低下するため、低下した発光パワーに相当する駆動電流をさらに半導体レーザ素子に流し、レーザの発光パワーを維持させる必要がある。そのため、消費電力が増加して半導体レーザ素子は高温となり、熱による素子寿命の劣化が発生する。
このように、光ピックアップ装置を構成する部品の発熱量の増加による熱問題を解決しつつ、光ピックアップ装置の小型化を実現することは重要な課題であり、従来から種々の提案がなされている（例えば、特許文献１を参照。）。
【特許文献１】特開２００６−１６４４１６号公報
【発明の開示】
【発明が解決しようとする課題】
【０００４】
ここで、図１３から図１６を用いて従来の光ピックアップ装置について説明する。図１３に従来の光ピックアップ装置の概略構成図を示す。図１３に示すように、光ピックアップ装置１３００は、光学台１３０１と、レーザ光を出射する発光素子１３０２と、光ディスク（図示せず）で反射されたレーザ光の反射光を検出して電流に変換する受光素子（図示せず）と、発光素子１３０２を支持するスライドホルダ１３０３と、スライドホルダ１３０３を支持するアオリホルダ１３０４と、を備える。さらに、光ピックアップ装置１３００は、発光素子１３０２から出射されるレーザ光を反射する折り曲げミラー１３０５と、発光素子１３０２から出射されたレーザ光を平行光に変換するコリメータレンズ１３０６と、を備える。また、光ピックアップ装置１３００は、コリメータレンズ１３０６で平行光に変換されたレーザ光をディスクの情報記録面に集光し、その集光されたレーザ光の焦点をディスクの情報記録面に合わせるための対物レンズ１３０９と、対物レンズ１３０９を光ディスクに対してフォーカス方向またはトラッキング方向に駆動させるアクチュエータ１３０８と、光ピックアップ装置１３００をディスクの情報記録面に平行に支持移動する為の一対の支持軸１３０９ａ、１３０９ｂと、を備える。
【０００５】
光学台１３０１は、発光素子１３０２、スライドホルダ１３０３およびアオリホルダ１３０４を収容する発光素子収容部１３０１Ａと、折り曲げミラー１３０５を収容する折り曲げミラー収容部１３０１Ｂと、コリメータレンズ１３０６を収容するコリメータレンズ収容部１３０１Ｃとを有している。さらに、光学台１３０１は、対物レンズ１３０９とアクチュエータ１３０８とを含み、光ディスクにコリメータレンズにより平行にされたレーザ光を集光する集光部品を収容する集光部品収容部１３０１Ｄとを有している。
次に、光ピックアップ装置におけるレーザ光の光軸調整について図１４を用いて説明する。図１４に示すように、光ピックアップ装置におけるレーザ光の光軸調整は、光軸調整用治具２１ａ、２１ｂでスライドホルダ１３０３を掴みながら、スライドホルダ１３０３を、Ｄ１方向に平行に移動した後、アオリホルダ１３０４を、光学台１３０１で支持される球面の中心を中心軸として、Ｄ２方向に回転させることで実行される。光ピックアップ装置におけるレーザ光の光軸調整を行うために、光学台１３０１には、発光素子１３０２とスライドホルダ１３０３とアオリホルダ１３０４とで構成される光軸調整部品、および光軸調整用治具２１ａ、２１ｂを挿入するスペースが必要となる。したがって、発光素子１３０２とその周辺部品とを配置するスペースを小さくするのには限界があり、特に、光ピックアップ装置を小型化する場合、発光素子１３０２の配置とコリメータレンズ１３０６の配置とは、ある程度近接したものにならざるを得ない。
【０００６】
また、光ピックアップ装置は光ディスクの半径方向と平行な方向に移動することで、光ディスクへの情報の記録再生を行うが、光ピックアップ装置において、発光素子１３０２をスピンドルモータ側に設置すると、光ピックアップ装置が光ディスクの最内周で記録再生するための位置に移動した場合、発光素子１３０２とスピンドルモータとが近接することになる。発光素子１３０２をスピンドルモータ側に設置すると、光ピックアップ装置が光ディスクの最内周で記録再生するための位置に移動した場合、発光素子１３０２とスピンドルモータとの双方から発生した熱が他方に伝導され、双方の誤動作の誘発および性能の劣化を引き起こす原因となる。したがって、発光素子１３０２は、図１４に示すように、光ディスクの外周側の端部（つまり、スピンドルモータが配置されている方向と反対方向の端部）に設置する必要がある。
【０００７】
以上から、発光素子１３０２とコリメータレンズ１３０６とは、図１４に示すよう配置となる。このとき、図１５および図１６に示すように、スライドホルダ１３０３に支持された発光素子１３０２の熱は、スライドホルダ１３０３、アオリホルダ１３０４および光学台１３０１を経由してコリメータレンズ１３０６に伝導される（Ｄ３方向に伝導される熱量が多い）。コリメータレンズ１３０６は、コリメータレンズ収容部１３０１Ｃの側面で光学台１３０１に支持されているため、図１５および図１６に示すように発光素子１３０２に近い側の支持面１３０７ｄが高温になり、反対側の支持面１３０７ｃとの温度差が生じる。コリメータレンズは、コスト低減の為、樹脂部材が用いられることが多い。樹脂部材は、温度による屈折率の変化がガラスに比べると大きい。このため、樹脂部材からなるコリメータレンズ１３０６は、その両端部の温度差が大きくなると、コリメータレンズ１３０６の両端部付近の屈折率が大きく変化し、その結果、コリメータレンズ１３０６の光学収差が大きくなる。これにより、光ピックアップ装置の性能、特に光学的性能が低下する。したがって、コリメータレンズの温度勾配を抑えることは、光ピックアップの性能を確保する上で、非常に重要である。
【０００８】
従来の光ピックアップ装置において、その構成に大きな変更を加えることなく、光ピックアップ装置の小型化を実現しつつ、コリメータレンズの温度勾配を抑えて光ピックアップ装置の光学的性能を確保することが困難であった。
本発明の課題は、光ピックアップ装置の構成を大きく変更することなく、小型化を実現し、かつ、コリメータレンズの温度勾配を低減し、光ピックアップ装置の光学的性能を確保することができる光ピックアップ装置、光ピックアップ装置用光学台および光学式情報記録再生装置を実現することにある。
【課題を解決するための手段】
【０００９】
第１の発明は、レーザ光を出射する発光素子と、レーザ光を平行光に変換するコリメータレンズと、発光素子から出射されたレーザ光をコリメータレンズに導く折り曲げミラーと、コリメータレンズからの平行光を光学式情報記録媒体の記録面上に集光する集光部品と、を有する光ピックアップ装置に用いられる光学台であって、発光素子収容部と、発光素子収容部と、発光素子収容部と、集合部品収容部と、抑制部と、を備える。発光素子収容部は、発光素子を収容する。発光素子収容部は、コリメータレンズを収容する。発光素子収容部は、折り曲げミラーを収容する。集合部品収容部は、集光部品を収容する。抑制部は、発光素子収容部とコリメータレンズ収容部との間に配置され、発光素子収容部からコリメータレンズ収容部への伝熱経路を折り曲げる。
この光ピックアップ装置用光学台では、発光素子収容部とコリメータレンズ収容部との間に抑制部が設けられている。このため、発光素子において発生した熱が発光素子収容部からコリメータレンズ収容部へ伝達される際に、抑制部により伝熱経路が折り曲げられる。この結果、発光素子収容部からコリメータレンズ収容部への伝熱経路が長くなり、抑制部において放熱が促進される。すなわち、抑制部により発光素子収容部とコリメータレンズ収容部との間の領域の放熱効率が高まり、発光素子収容部からコリメータレンズ収容部への伝熱量が減少する。これにより、例えばコリメータレンズが発光素子の周辺に配置された場合であっても、発光素子の発熱に伴うコリメータレンズ内の温度勾配を低減することができる。すなわち、この光学台では、光ピックアップ装置の小型化を実現しつつ光学的性能の向上を図ることができる。
【００１０】
第２の発明は、第１の発明であって、光学式情報記録媒体と対向する第１主面と、第１主面の反対側に形成された第２主面と、をさらに備える。抑制部は、第１主面側に開口する第１凹部と、第２主面側に開口する第２凹部と、第１凹部および第２凹部により形成され伝熱経路に含まれる屈折部と、を有する。
この場合、単に開口を形成している場合に比べて、抑制部周辺の強度を確保しつつ、簡単な構成により伝熱経路を折り曲げることができる。また、第１凹部および第２凹部により伝熱経路に含まれる屈折部の表面積を大きくすることができる。すなわち、この光学台では、強度を確保しつつ放熱効率を高めることができる。
第３の発明は、第２の発明であって、第１凹部および第２凹部は、発光素子収容部とコリメータレンズ収容部との間の領域を分けるように延びている。
【００１１】
これにより、発光素子収容部からコリメータレンズ収容部への伝熱経路上に抑制部が確実に配置され、発光素子収容部からコリメータレンズ収容部への伝熱量がより減少する。
第４の発明は、第２または第３の発明であって、第１凹部と第２凹部とは、互いに略平行に配置されている。
第５の発明は、第２から第４のいずれかの発明であって、第１凹部は、第２凹部の発光素子収容部側またはコリメータレンズ収容部側に配置されている。
第６の発明は、第２から第５のいずれかの発明であって、第１凹部の開口部と第２凹部の開口部とは、それぞれ長方形の形状である。
第７の発明は、第２から第６のいずれかの発明であって、第２凹部は、第１凹部の開口部よりも面積の大きい開口部を有している。
【００１２】
第８の発明は、第２から第７のいずれかの発明であって、第１凹部の開口部と第２凹部の開口部とは、細長い形状であり、第１凹部の開口部の幅と第２凹部の開口部の幅とは、同一の長さである。
第９の発明は、第２から第８のいずれかの発明であって、第１凹部の長手方向の長さは、第２凹部の長手方向の長さよりも長い。
第１０の発明は、第２から第９のいずれかの発明であって、第１凹部の開口部の長手方向の長さがコリメータレンズの光軸方向の幅より長い。
第１１の発明は、第２から第１１のいずれかの発明であって、抑制部は、第１凹部を第２主面側の空間と貫通させる少なくとも１つの第１貫通孔を有している。
この場合、例えば、第１主面側の空気が、第１凹部および第１貫通孔を通って、第２主面側へ抜けやすくなる。このため、第１凹部周辺が冷却されやすくなり、抑制部の放熱効率がさらに高まる。
【００１３】
第１２の発明は、第２から第１１のいずれかの発明であって、抑制部は、第２凹部を第１主面側の空間と貫通させる少なくとも１つの第２貫通孔を有している。
この場合、第１主面側の空気が、第２貫通孔および第２凹部を通って、第２主面側へ抜けやすくなる。このため、第２凹部周辺が冷却されやすくなり、抑制部の放熱効率がさらに高まる。
第１３の発明は、第２から第１２のいずれかの発明であって、第１凹部の少なくとも一部には、光ピックアップ装置用光学台を形成する素材よりも高い熱伝導性を有する第１放熱部材が固定されている。
これにより、抑制部の第１凹部周辺の放熱効率がさらに高まる。
第１４の発明は、第２から第１３のいずれかの発明であって、第２凹部の少なくとも一部には、光ピックアップ装置用光学台を形成する素材よりも高い熱伝導性を有する第２放熱部材が固定されている。
【００１４】
これにより、抑制部の第２凹部周辺の放熱効率がさらに高まる。
第１５の発明は、第１から第１４のいずれかの発明である光ピックアップ装置用光学台と、発光素子収容部に収容され、レーザ光を出射する発光素子と、コリメータレンズ収容部に収容され、発光素子から出射されたレーザ光を平行光に変換するコリメータレンズと、折り曲げミラー収容部に収容され、発光素子から出射されたレーザ光をコリメータレンズに導く折り曲げミラーと、集光部品収容部に収容され、レーザ光を光学式情報記録媒体に集光する集光部品と、を備える光ピックアップ装置である。
この光ピックアップ装置では、第１から第１４のいずれかの発明である光学台を備えている。このため、コリメータレンズが発光素子の周辺に配置された場合であっても、発光素子の発熱に伴うコリメータレンズ内の温度勾配を低減することができ、光ピックアップ装置の小型化を実現しつつ光学的性能を確保することができる。
【００１５】
第１６の発明は、第１５の発明である光ピックアップ装置を備える光学式情報記録再生装置である。
この光学式情報記録再生装置では、第１５の発明である光ピックアップ装置を備えている。このため、コリメータレンズが発光素子の周辺に配置された場合であっても、発光素子の発熱に伴うコリメータレンズ内の温度勾配を低減することができ、光ピックアップ装置の小型化を実現しつつ光学的性能を確保することができる。これにより、装置の小型化を実現しつつ光学式情報記録再生装置の記録および再生性能を確保できる。
【発明の効果】
【００１６】
本発明によれば、光ピックアップ装置の構成を大きく変更することなく、小型化を実現し、かつ、コリメータレンズの温度勾配を低減し、光学的性能を確保することができる光ピックアップ装置、光ピックアップ装置用光学台および光学式情報記録再生装置を実現することができる。
【発明を実施するための最良の形態】
【００１７】
以下、図面を参照しながら本発明の実施形態について説明する。
［第１実施形態］
＜記録再生装置の構成＞
図１および図２を用いて、本発明の第１実施形態に係る光ピックアップ装置４が搭載された光学式情報記録再生装置（以下、「記録再生装置」という。）１の構成について説明する。図１に記録再生装置１の概略斜視図、図２に記録再生装置１の部分斜視図を示す。
図１に示すように、記録再生装置１は主に、光ディスクが内蔵されるディスクカートリッジ３と、トラバースベース６と、トラバースベース６上に設置され光ディスク２を回転させるスピンドルモータ７と、光ディスク２に対して情報の記録および再生を行う光ピックアップ装置４と、光ディスク２に対して光ピックアップ装置４を移動可能に支持する移動機構５とから構成されている。
【００１８】
移動機構５は主に、光ピックアップ装置４を移動させるための２本のシャフト９ａ、９ｂと、一方のシャフト９ａを回転させるモータ（図示せず）を備えた支持台１０とから構成されている。シャフト９ａは、光ピックアップ装置４の光学台８に螺合している。一方のシャフト９ａが回転することで、光ピックアップ装置４が光ディスクの半径方向と平行な方向に移動する。他方のシャフト９ｂは、光ピックアップ装置４を移動可能に支持している。光ピックアップ装置４はシャフト９ｂに沿って移動する。これにより、光ピックアップ装置４は光ディスク２に対して、外周側および内周側に移動可能である。なお、光ピックアップ装置４を光ディスク２に対して移動させる機構は、上述の機構に限定されない。
図２に示すように、光ディスク２は、ディスクカートリッジ３により保護されている。ディスクカートリッジ３には開口部３ａが形成されており、開口部３ａでは光ディスク２が外部に露出している。開口部３ａに対応する位置には、光ピックアップ装置４が光ディスク２の半径方向と平行な方向に移動可能に配置されている。
【００１９】
＜光ピックアップ装置の構成＞
図３から図５を用いて本発明の第１実施形態に係る光ピックアップ装置４の構成について説明する。図３に光ピックアップ装置４の平面図、図４に図３のＡ−Ａ断面の概略斜視図、図５に図３のＡ−Ａ断面図（側面図）を示す。なお、図３において、図３の左右方向をＸ軸方向、発光素子１１の出射光軸Ｌ１に沿った方向（図３の上下方向）をＹ軸方向、Ｘ軸およびＹ軸に直交する方向（図３の紙面に垂直な方向）をＺ軸方向とし、図３において、右側をＸ軸方向正側、上側をＹ軸方向正側、紙面手前側をＺ軸方向正側とする。
図３に示すように、光ピックアップ装置４は、主に、光学台８と、レーザ光を出射する発光素子１１と、光ディスク（図示せず）で反射されたレーザ光の反射光を検出して電流に変換する受光素子（図示せず）と、発光素子１１を支持するスライドホルダ１２と、スライドホルダ１２を支持するアオリホルダ１３と、を備える。さらに、光ピックアップ装置４は、発光素子１１から出射されるレーザ光を反射する折り曲げミラー１４と、発光素子１１から出射されたレーザ光を平行光に変換するコリメータレンズ１５と、を備える。また、光ピックアップ装置４は、コリメータレンズ１５で平行光に変換されたレーザ光をディスクの情報記録面に集光し、その集光されたレーザ光の焦点をディスクの情報記録面に合わせるための対物レンズ１７と、対物レンズ１７を光ディスクに対してフォーカス方向またはトラッキング方向に駆動させるアクチュエータ１６と、を備える。
【００２０】
光学台８は、発光素子１１、スライドホルダ１２およびアオリホルダ１３を収容する発光素子収容部８Ａと、折り曲げミラー１４を収容する折り曲げミラー収容部８Ｂと、コリメータレンズ１５を収容するコリメータレンズ収容部８Ｃとを有している。さらに、光学台８は、対物レンズ１７とアクチュエータ１６とを含み、光ディスク２にコリメータレンズ１５により平行にされたレーザ光を集光する集光部品を収容する集光部品収容部８Ｄとを有している。そして、光学台８は、発光素子収容部８Ａとコリメータレンズ収容部８Ｃとの間には、Ｚ軸方向正側の面に開口部が形成された第１凹部１８とＺ軸方向負側の面に開口部が形成された第２凹部１９とを有している。光学台８の材質としては、例えば、亜鉛や樹脂が用いられる。
発光素子１１は、レーザ光を出射するもので、例えば、半導体レーザ素子が用いられる。
【００２１】
スライドホルダ１２は、光ピックアップ装置４のレーザ光の光軸調整時において、Ｘ−Ｙ平面においてＸ軸方向に発光素子１１の位置を調整するための部材である。スライドホルダ１２の材質としては、例えば、熱伝導性を考慮して亜鉛などの金属を用いる。
アオリホルダ１３は、光ピックアップ装置４のレーザ光の光軸調整時において、Ｚ軸に沿った軸を中心に発光素子１１の出射光軸Ｌ１の角度を調整するための部材である。
なお、光ピックアップ装置４のレーザ光の具体的な光軸調整方法は、従来の光ピックアップ装置における光軸調整方法と同様であり、スライドホルダ１２を光軸調整治具で掴みながら、スライドホルダ１２をＸ軸方向に移動させた後、アオリホルダ１３をＺ軸に沿った軸を中心に移動させることで実行される。アオリホルダ１３の材質としては、例えば、熱伝導性を考慮して亜鉛、アルミニウムまたは銅などの金属が用いられる。
【００２２】
スライドホルダ１２およびアオリホルダ１３により、発光素子１１の出射光軸Ｌ１の位置および角度を調整することができる。なお、光軸調整後、スライドホルダ１２はアオリホルダ１３に接着により固定され、アオリホルダ１３は光学台８に接着により固定される。
＜光学台の構成＞
ここで、光学台８の構成の詳細について説明する。図３〜５に示すように、光学台８はさらに、発光素子収容部８Ａとコリメータレンズ収容部８Ｃとの間に配置された抑制部８Ｅを有している。
抑制部８Ｅは、発光素子収容部８Ａからコリメータレンズ収容部８Ｃへの伝熱経路を折り曲げて放熱を促進させるための部分であり、発光素子収容部８Ａとコリメータレンズ収容部８Ｃとの間の領域を分けるようにＸ軸方向に延びている。具体的には図３〜図５に示すように、抑制部８Ｅは主に、Ｚ軸方向正側に開口する第１凹部１８と、Ｚ軸方向負側に開口する第２凹部１９と、を有している。第１凹部１８および第２凹部１９により、発光素子収容部８Ａからコリメータレンズ収容部８Ｃへの伝熱経路に含まれる屈折部２２が形成されている。
【００２３】
第１凹部１８は、発光素子収容部８Ａとコリメータレンズ収容部８Ｃとの間で、かつ、第２凹部１９のコリメータレンズ収容部８Ｃ側に配置されている。例えば、図３に示すように、Ｚ軸に垂直な方向からの平面視においては、第１凹部１８の開口部の形状は、Ｘ軸方向に延びる細長い長方形である。Ｘ軸に垂直な平面における第１凹部１８の断面形状は、Ｚ軸方向に延びる長方形である。なお、第１凹部１８の開口部のＸ軸方向の長さは、コリメータレンズ１５のＸ軸方向の長さよりも長くすることが好ましい。
第２凹部１９は、発光素子収容部８Ａとコリメータレンズ収容部８Ｃとの間で、かつ、第１凹部１８の発光素子収容部８Ａ側に配置されている。例えば、図３に示すように、Ｚ軸に垂直な方向からの平面視においては、第２凹部１９はＸ軸方向に延びる細長い長方形である。第２凹部１９の長手方向（Ｘ軸方向）の長さは、第１凹部の長手方向（Ｘ軸方向）の長さよりも長い。Ｘ軸に垂直な平面における第２凹部１９の断面形状は、Ｚ軸方向に延びる長方形である。なお、第２凹部１９のＸ軸方向の長さは、コリメータレンズ１５のＸ軸方向の長さ（光軸方向の寸法）よりも長く、かつ、第１凹部１８のＸ軸方向の長さよりも長くすることが好ましい。
【００２４】
Ｙ軸方向からの平面視において、第１凹部１８と第２凹部１９とは少なくとも一部が重なり合っている。具体的には、図５に示すように、第１凹部１８は、Ｙ軸方向正側を向く第１側面１８ａと、Ｙ軸方向負側を向く第２側面１８ｂと、Ｚ軸方向負側を向く第１底面１８ｃと、を有している。第１側面１８ａと第２側面１８ｂとはＹ軸方向に対向している。第２凹部１９は、Ｙ軸方向正側を向く第３側面１９ａと、Ｙ軸方向負側を向く第４側面１９ｂと、Ｚ軸方向正側を向く第２底面１９ｃと、を有している。第２側面１９ａと第４側面１９ｂとはＹ軸方向に対向している。図５に示すように、第１底面１８ｃは、第２底面１９ｃに比べて、Ｚ軸方向負側に配置されている。Ｙ軸方向からの平面視において、第２側面１８ｂと第３側面１９ａとは、大部分が重なり合っている。
図４および図５に示すように、第１凹部１８および第２凹部１９により、屈折部２２が形成されている。具体的には、屈折部２２は主に、第１部分２２ａと、第２部分２２ｂと、第３部分２２ｃと、から構成されている。第１部分２２ａは、発光素子収容部８ＡのＹ軸方向正側の部分からＹ軸方向へ延びるプレート状の部分であり、第１凹部１８のＺ軸方向負側に形成されている。第２部分２２ｂは、第１部分２２ａのＹ軸方向の端部からＺ軸方向正側に延びるプレート状の部分であり、第１凹部１８と第２凹部１９とのＹ軸方向間に形成されている。第３部分２２ｃは、第２部分２２ｂのＺ軸方向の端部からＹ軸方向正側に延びるプレート状の部分であり、第２凹部１９のＺ軸方向正側に形成されている。第３部分２２ｃは、コリメータレンズ収容部８ＣのＹ軸方向負側の部分に連結されている。第３部分２２ｃは、第１部分２２ａに比べて、Ｚ軸方向正側に配置されている。第１部分２２ａ、第２部分２２ｂおよび第３部分２２ｃは、第１凹部１８および第２凹部１９に沿ってＸ軸方向に延びている。
【００２５】
このように、Ｘ軸に垂直な断面において、第１部分２２ａと第２部分２２ｂとの間および第２部分２２ｂと第３部分２２ｃとの間に、屈折部２２は折れ曲がり部分を有している。
屈折部２２を別の観点から説明する。図３〜５に示すように、Ｙ軸方向からの平面視において、第１凹部１８と第２凹部１９とは少なくとも一部が重なり合っている。Ｙ軸方向からの平面視において、第２側面１８ｂと第３側面１９ａとは、大部分が重なり合っている。これらの面（特に、第１側面１８ａ、第２側面１８ｂ、第３側面１９ａ、第４側面１９ｂ）は、抑制部８Ｅの放熱面として機能する。
また、第１凹部１８のＺ軸方向の寸法は、第１部分２２ａのＺ軸方向の寸法よりも長く、第２凹部１９のＺ軸方向の寸法は、第３部分２２ｃのＺ軸方向の寸法よりも長い。このため、第１凹部１８の第１底面１８ｃは、第２凹部１９の第２底面１９ｃに比べて、Ｚ軸方向負側に配置されている。
【００２６】
このように、屈折部２２により発光素子収容部８Ａからコリメータレンズ収容部８Ｃへの伝熱経路が折れ曲がり、屈折部２２が形成されていない状態に比べて伝熱経路が長くなる（概略的には、図５の矢印が示す方向に熱が伝導される）。それに伴い、第１凹部１８の各面１８ａ、１８ｂ、１８ｃおよび第２凹部１９の各面１９ａ、１９ｂ、１９ｃにより、第１凹部１８および第２凹部１９が形成されていない状態に比べて、伝熱経路の表面積が大きくなる。つまり、抑制部８Ｅを設けることで、発光素子収容部８Ａからコリメータレンズ収容部８Ｃへの熱伝導の際に、放熱が促進されやすくなる。
なお、図３では、第１凹部１８の開口部と第２凹部１９の開口部とコリメータレンズ１５の光軸とが平行となるように配置されているが、これに限定されることはなく、発光素子収容部８Ａからコリメータレンズ収容部８Ｃへの熱が伝わる経路が長くなる構成を形成するものであれば、第１凹部の開口部および第２凹部の開口部の形状は、他の形状であってもよい。また、第１凹部１８および第２凹部１９は、図３のＡ−Ａ断面において、図４に示すようなコの字形形状の断面を有するものに限定されることはなく、発光素子収容部８Ａからコリメータレンズ収容部８Ｃへの熱が伝わる経路が長くなる構成を形成するものであれば、他の形状であってもよい。例えば、第１凹部１８の断面形状および第２凹部１９の断面形状が、Ｕ字形や半楕円形状や表面上に微小突起を有し表面積を大きくするような形状のものであってもよい。
【００２７】
＜記録再生装置の動作＞
図１から図３を用いて、記録再生装置１の動作について説明する。
図１および図２に示すように、スピンドルモータ７によりディスクカートリッジ３内の光ディスク２が回転駆動される。ディスクカートリッジ３の開口部３ａにおいて、光ディスク２の表面に形成された情報記録面の一部が露出している。光ディスク２の回転により、情報記録面の全てが外部に順次露出する。光ピックアップ装置４からレーザ光が情報記録面に対して出射される。光ピックアップ装置４は、移動機構５により光ディスク２に対して半径方向と平行な方向に駆動される。以上の構成により、光ピックアップ装置４からのレーザ光の照射位置を変更することができる。
また、光ピックアップ装置４の内部では、図３に示すように、発光素子１１からＹ軸方向正側にレーザ光が出射される。このレーザ光は、折り曲げミラー１４によりＸ軸方向正側に折り曲げられ、コリメータレンズ１５により平行光にされる。コリメータレンズにより平行光にされたレーザ光は、Ｘ軸方向正側に進み、反射鏡１９０により、Ｚ軸方向正側に折り曲げられ、対物レンズ１７に入射される。対物レンズ１７は、アクチュエータ１６によりフォーカス方向およびトラッキング方向に移動可能であり、対物レンズ１７によりレーザ光が光ディスク２の情報記録面に集光され、情報記録面に記録マークが形成されることで情報が記録される。
【００２８】
光ディスク上に記録された情報を再生する場合は、情報を記録する場合と同様に、情報記録面にレーザ光を照射する。そして、情報記録面で反射したレーザ光は、対物レンズ１７、折り曲げミラー１４等を介して受光素子（図示せず）に入射される。受光素子に入射されたレーザ光は、受光素子により電流値に変換され、その電流値に基づいて情報記録面に記録されている情報が再生される。
＜作用効果＞
光ピックアップ装置４において、発光素子１１が発光していると、発光素子から発熱した熱が光学台８を介して熱伝導によりコリメータレンズ１５に伝わる。光学台８は、発光素子収容部８Ａとコリメータレンズ収容部８Ｃの間に、第１凹部１８と第２凹部１９とを有する抑制部８Ｅにより形成される屈折部を有している。光学台８は、このような屈折した構造を持っているので、発光素子収容部８Ａからコリメータレンズ収容部８Ｃへの熱が伝わる経路が長くなり、熱が伝わる過程で放熱される熱量が大きくなる。その結果、従来の光ピックアップ装置に比べ、コリメータレンズ１５の発光素子側側面１５ｄに伝わる熱量が少なくなる。これにより、コリメータレンズ１５の発光素子側側面１５ｄとその反対側側面１５ｃとの温度差が少なくなるので、コリメータレンズの偏熱による光学特性の劣化を抑制することができる。また、光ピックアップ装置４は、従来の光ピックアップ装置用光学台に対して、光ピックアップ装置用光学台８に第１凹部１８および第２凹部１９を設けただけの構造となっているので、光学台８の構造的強度をほとんど低下させずに、かつ、大きな構成変更をすることなく実現することができる。
【００２９】
以上により、本実施形態に係る光ピックアップ装置４および光ピックアップ装置用光学台８により、構成を大きく変更することなく、小型化を実現し、かつ、コリメータレンズの温度勾配を低減し、光学的性能を確保することができる光ピックアップ装置４、光ピックアップ装置用光学台８および、それらを用いた光学式情報記録再生装置１を実現することができる。
［第２実施形態］
図６から図８を用いて本発明の第２実施形態に係る光ピックアップ装置１０４の構成について説明する。図６および図８に光ピックアップ装置１０４の平面図、図７に図６のＡ−Ａ断面斜視図を示す。なお、前述の実施形態と同様の構成については、同じ符号を付し、説明を省略する。
【００３０】
図６および図７に示すように、第２実施形態に係る光ピックアップ装置１０４においては、第２凹部１９の発光素子側の側壁にシート状の第２放熱部材としての高熱伝導部材２０が固着されている。高熱伝導部材２０としては、例えば、グラファイト（黒鉛）シートや銅箔が用いられる。なお、高熱伝導部材２０としては、グラファイトシートや銅箔に限定されることはなく、光学台１０８の材質よりも高い熱伝導率を持つ材質のものであればよい。また、図６および図７では、高熱伝導部材２０を第２凹部１９の発光素子側の側壁にのみ接着により固定させる構成としたが、これに限定されることはなく、第２凹部１９の両側壁に高熱伝導部材２０を固着させる構成であってもよく、また、第１凹部１８の片側の側壁あるいは両側壁にも高熱伝導部材２０を固着する構成であってもよい。
以上のように構成された光ピックアップ装置１０４において、発光素子１１から光学台を介してコリメータレンズ１５の方向に伝わる熱（図８で示した概略の方向Ｄ３’に伝わる熱）が第２凹部１９の発光素子側側壁に固着された高熱伝導部材２０により、図８のＤ４方向（概略の方向）への熱伝導が促進されることになる。したがって、発光素子１１からコリメータレンズ１５の発光素子側側面１５ｄに伝導される熱量が少なくなる。
【００３１】
これにより、コリメータレンズ１５の発光素子側側面１５ｄとその反対側側面１５ｃとの温度差が少なくなるので、コリメータレンズの偏熱による光学特性の劣化を抑制することができる。また、光ピックアップ装置４は、従来の光ピックアップ装置用光学台に対して、光ピックアップ装置用光学台１０８に第１凹部１８および第２凹部１９を設け、その側壁に高熱伝導部材２０を固着させただけの構造となっているので、光学台１０８の構造的強度をほとんど低下させずに、かつ、大きな構成変更をすることなく実現することができる。
以上により、本実施形態に係る光ピックアップ装置１０４および光ピックアップ装置用光学台１０８により、構成を大きく変更することなく、小型化を実現し、かつ、コリメータレンズの温度勾配を低減し、光学的性能を確保することができる光ピックアップ装置１０４、光ピックアップ装置用光学台１０８および、それらを用いた光学式情報記録再生装置１を実現することができる。
【００３２】
［第３実施形態］
図９から図１２を用いて本発明の第３実施形態に係る光ピックアップ装置２０４の構成について説明する。図９に光ピックアップ装置２０４の概略斜視図、図１０および図１１に図９のＡ−Ａ断面の概略斜視図、図１２に光ピックアップ装置２０４の概略斜視図を示す。なお、前述の実施形態と同様の構成については、同じ符号を付し、説明を省略する。
図９に示すように、光ピックアップ装置用光学台２０８には、第１凹部１８から第２凹部１９へと貫通する貫通孔２５Ａと、図１０に示すように、第２凹部１９から第１凹部１８へと貫通する貫通孔２５ＢとがＸ軸方向に間欠的に形成されている。すなわち、図１０に示すように、光学台２０８に形成された貫通孔２５Ａおよび２５Ｂは、光学台２０８の光ディスク２に対向する面と、それと反対の面を貫通するように形成されている。図１１および図１２に示すように、貫通孔２５Ａおよび２５Ｂを光ディスクの回転によって生じた空気の流れＦ２６（空気対流による空気の流れを含む）が通過することにより、発光素子１１からコリメータレンズ１５へ伝導される熱が冷却され、放熱効果を大きくすることができる。その結果、コリメータレンズ１５の発光素子側側面１５ｄとその反対側側面１５ｃとの温度差が少なくなるので、コリメータレンズの偏熱による光学特性の劣化を抑制することができる。また、光ピックアップ装置２０４は、従来の光ピックアップ装置用光学台に対して、光ピックアップ装置用光学台２０８に第１凹部１８および第２凹部１９を設け、第１凹部１８と第２凹部１９との間に貫通孔を設けただけの構造となっているので、光学台２０８の構造的強度をほとんど低下させずに、かつ、大きな構成変更をすることなく実現することができる。
【００３３】
以上により、本実施形態に係る光ピックアップ装置２０４および光ピックアップ装置用光学台２０８により、構成を大きく変更することなく、小型化を実現し、かつ、コリメータレンズの温度勾配を低減し、光学的性能を確保することができる光ピックアップ装置２０４、光ピックアップ装置用光学台２０８および、それらを用いた光学式情報記録再生装置１を実現することができる。
なお、光ピックアップ装置用光学台２０８において、第１凹部１８から第２凹部１９へと貫通する貫通孔２５Ａと、第２凹部１９から第１凹部１８へと貫通する貫通孔２５ＢとがＸ軸方向に間欠的に形成されている場合について説明したが、これに限定される必要はなく、光ピックアップ装置用光学台２０８は、例えば、第１凹部１８から光学台８のＺ軸正側を向く面側へと貫通する貫通孔と、第２凹部１９から光学台８のＺ軸負側を向く面側へと貫通する貫通孔とがＸ軸方向に間欠的に形成されているものであってもよい。
【００３４】
［他の実施形態］
前述の実施形態において、説明に使用した図は、説明の便宜のための図であり、厳密な大きさ、形状、位置関係等を示しているものではない。
また、前述の実施形態において、第１凹部１８の開口部および第２凹部１９の開口部は、Ｘ軸正方向に細長い長方形の形状であるものについて説明したが、これに限定される必要はなく、例えば、第１凹部１８の開口部および第２凹部１９の開口部の形状が、曲線を含む形状であってもよい。
また、本発明の具体的な構成は、前述の実施形態に限られるものではなく、発明の要旨を逸脱しない範囲で種々の変更および修正が可能である。
【産業上の利用可能性】
【００３５】
本発明に係る光ピックアップ装置用光学台、光ピックアップ装置および光学式情報記録再生装置は、装置を大型化することなくコリメートレンズの温度の均熱化を図ることができる。このため、小型化が必要とされる、あるいは、高熱化しやすい、大容量の記録媒体からの読み出しや、高倍速記録を行う光学式情報記録再生装置に関連分野において有用であり、かつ、実施することができる。
【図面の簡単な説明】
【００３６】
【図１】本発明の第１実施形態に係る記録再生装置の概略斜視図
【図２】本発明の第１実施形態に係る記録再生装置の一部の概略斜視図
【図３】本発明の第１実施形態に係る光ピックアップ装置の概略構成図
【図４】本発明の第１実施形態に係る光ピックアップ装置の断面模式図
【図５】本発明の第１実施形態に係る光ピックアップ装置の伝熱経路の説明のための断面模式図
【図６】本発明の第２実施形態に係る光ピックアップ装置の概略構成図
【図７】本発明の第２実施形態に係る光ピックアップ装置の断面模式図
【図８】本発明の第２実施形態に係る光ピックアップ装置の伝熱経路の説明のための概略模式図
【図９】本発明の第３実施形態に係る光ピックアップ装置の概略構成図
【図１０】本発明の第３実施形態に係る光ピックアップ装置の断面模式図
【図１１】本発明の第３実施形態に係る光ピックアップ装置の断面模式図
【図１２】本発明の第３実施形態に係る光ピックアップ装置の概略模式図
【図１３】従来の光ピックアップ装置の概略構成図
【図１４】従来の光ピックアップ装置における光軸調整の説明のための模式図
【図１５】従来の光ピックアップ装置における伝熱経路の説明のための模式図
【図１６】従来の光ピックアップ装置における伝熱経路の説明のための断面模式図
【符号の説明】
【００３７】
１  記録再生装置
２  光ディスク（光学式情報記録媒体）
３  ディスクカートリッジ
４、１０４、２０４  光ピックアップ装置
８、１０８、２０８  光学台
９ａ、９ｂ  支持軸（シャフト）
１１  発光素子
１２  スライドホルダ
１３  アオリホルダ
１４  折り曲げミラー
１５  コリメータレンズ
１６  アクチュエータ
１７  対物レンズ
１８  第１凹部
１９  第２凹部
２０  高熱伝導部材
２５Ａ、２５Ｂ  貫通孔
【図１】
2008165929.tif 000003
【図２】
2008165929.tif 000004
【図３】
2008165929.tif 000005
【図４】
2008165929.tif 000006
【図５】
2008165929.tif 000007
【図６】
2008165929.tif 000008
【図７】
2008165929.tif 000009
【図８】
2008165929.tif 000010
【図９】
2008165929.tif 000011
【図１０】
2008165929.tif 000012
【図１１】
2008165929.tif 000013
【図１２】
2008165929.tif 000014
【図１３】
2008165929.tif 000015
【図１４】
2008165929.tif 000016
【図１５】
2008165929.tif 000017
【図１６】
2008165929.tif 000018